(57)【要約】      （修正有）【課題】  電子ペンを利用して記入した情報を、受診票の識別情報に基づいて管理することにより、容易に検診の進捗状況を確認できる検診システムを提供する。【解決手段】  検診システムにおいて、検診サーバは、受診者に関する受診者情報と、受診者が保有する受信票の受信票ＩＤとを登録情報として取得する。検診サーバは、取得した登録情報に含まれる受信票ＩＤをキーとして、受診者情報を情報管理ＤＢに記憶する。一方、受診者の検診結果は、電子ペンを使用して受信票に記入され、その情報は、検診サーバにより取得される。検診サーバは、記入情報及び座標テーブルに基づいて、受信票ＩＤを特定し、受信票の各項目に記入された項目情報を抽出する。そして、検診サーバは、特定した受信票ＩＤに対応付けて、項目情報を情報管理ＤＢに記憶する。これにより、検診サーバは、情報管理ＤＢに記憶された情報に基づいて、受診者の検診の進捗状況を容易に確認できる。【選択図】    図１１
2005301650.tif 000002
【特許請求の範囲】
【請求項１】
電子ペンにより認識可能なドットパターンが印刷された電子ペン用帳票を使用して検診を行う検診サーバにおいて、
前記電子ペン用帳票は、前記電子ペンにより記入を行う複数の項目を含み、前記項目の情報に対応するドットパターンが印刷されたものであって、
前記検診サーバは、
利用者に関する利用者情報と、前記帳票を識別する帳票識別情報とを登録情報として取得する登録情報取得手段と、
前記登録情報に含まれる前記帳票識別情報に基づいて、前記利用者情報を、情報管理テーブルに記憶する利用者情報記憶手段と、
前記帳票の各項目と、前記ドットパターン上のそれぞれの位置座標とを対応付けた座標情報を記憶する座標情報記憶手段と、
前記帳票に記入された記入情報を取得する記入情報取得手段と、
前記記入情報及び前記座標情報に基づいて、帳票識別情報を特定する帳票識別情報特定手段と、
前記座標情報に基づいて、前記記入情報から前記各項目に記入された項目情報を抽出する項目情報抽出手段と、
前記帳票識別情報特定手段が特定した帳票識別情報に基づいて、前記項目情報を、前記情報管理テーブルにさらに記憶する項目情報記憶手段と、を備えることを特徴とする検診サーバ。
【請求項２】
電子ペンにより認識可能なドットパターンが印刷された電子ペン用帳票を使用して検診を行う検診サーバにおいて、
前記電子ペン用帳票は、項目名及び記入欄により構成される複数の項目を含んでおり、前記電子ペンにより記入を行うものであって、
前記記入欄の部分は、前記記入欄の情報に対応するドットパターンが印刷されており、
前記項目名の部分は、前記帳票の識別情報である帳票識別情報を含み、前記項目名の情報に対応するドットパターンが印刷された項目名シールが添付されたものであって、
前記検診サーバは、
利用者に関する利用者情報と、前記帳票に添付された項目名シールに含まれる帳票識別情報とを登録情報として取得する登録情報取得手段と、
前記登録情報に含まれる前記帳票識別情報に基づいて、前記利用者情報を、情報管理テーブルに記憶する利用者情報記憶手段と、
前記帳票に添付された項目名シールの各項目名及び前記帳票に含まれる各記入欄と、前記ドットパターン上のそれぞれの位置座標とを対応付けた座標情報を記憶する座標情報記憶手段と、
前記項目名シール及び前記帳票に記入された記入情報を取得する記入情報取得手段と、
前記記入情報及び前記座標情報に基づいて、帳票識別情報を特定する帳票識別情報特定手段と、
前記座標情報に基づいて、前記記入情報から各項目名に対応する記入欄に記入された情報を項目情報として抽出する項目情報抽出手段と、
前記帳票識別情報特定手段が特定した帳票識別情報に基づいて、前記項目情報を、前記情報管理テーブルにさらに記憶する項目情報記憶手段と、を備えることを特徴とする検診サーバ。
【請求項３】
電子ペンにより認識可能なドットパターンが印刷された電子ペン用帳票を使用した検診サーバにおいて、
前記電子ペン用帳票は、検診の結果を記入するための受診票と、前記受診票を使用する利用者を識別するための識別帳票とから構成されており、
前記受診票は、前記電子ペンにより記入を行う複数の受診項目を含み、前記受診項目の情報に対応するドットパターンが印刷されたものであり、
前記識別帳票は、前記電子ペンにより記入を行い、前記利用者を識別する利用者識別情報に対応する複数の識別項目を含み、当該識別項目の情報に対応するドットパターンが印刷されたものであって、
前記検診サーバは、
前記利用者に関する利用者情報と、前記利用者識別情報とを登録情報として取得する登録情報取得手段と、
前記登録情報に含まれる利用者識別情報に基づいて、前記利用者情報を、情報管理テーブルに記憶する利用者情報記憶手段と、
前記受診票の各受診項目と、前記ドットパターン上のそれぞれの位置座標とを対応付けた受診票座標情報を記憶する受診票座標情報記憶手段と、
前記識別帳票の各識別項目と、前記ドットパターン上のそれぞれの位置座標とを対応付けた識別帳票座標情報を記憶する識別帳票座標情報記憶手段と、
前記受診票及び前記識別帳票に記入された記入情報を取得する記入情報取得手段と、
前記記入情報及び前記識別帳票座標情報に基づいて、ストロークが記入された識別項目に対応する利用者識別情報を特定する利用者識別情報特定手段と、
前記受診票座標情報に基づいて、前記記入情報から前記各受診項目に記入された項目情報を抽出する項目情報抽出手段と、
前記利用者識別情報特定手段が特定した利用者識別情報に基づいて、前記項目情報を、前記情報管理テーブルにさらに記憶する項目情報記憶手段と、を備えることを特徴とする検診サーバ。
【請求項４】
前記検診サーバは、複数の端末装置と通信可能に接続されており、
前記記入情報取得手段は、前記端末装置から前記記入情報を取得するものであって、
前記情報管理テーブルに記憶された項目情報に基づいて、検診の進捗状況を示す状況確認画面を作成する状況確認画面作成手段と、
前記記入情報取得手段が前記記入情報を取得したときに、前記状況確認画面作成手段が作成した状況確認画面を前記端末装置に送信する状況確認画面送信手段と、を備えることを特徴とする請求項１乃至３のいずれか一項に記載の検診サーバ。
【請求項５】
前記情報管理テーブルに記憶された項目情報に基づいて、特定の利用者の検診結果を示す検診結果画面を作成する検診結果画面作成手段と、
前記検診結果画面作成手段が作成した検診結果画面を前記端末装置に送信する検診結果画面送信手段と、
前記端末装置から前記検診結果を変更する変更情報を取得する変更情報取得手段と、
前記変更情報に基づいて、前記情報管理テーブルに記憶された項目情報を変更する項目情報変更手段と、を備えることを特徴とする請求項１乃至４のいずれか一項に記載の検診サーバ。
【請求項６】
電子ペンにより認識可能なドットパターンが印刷された電子ペン用帳票を使用して検診を行うコンピュータにより実行されるプログラムにおいて、
前記電子ペン用帳票は、前記電子ペンにより記入を行う複数の項目を含み、前記項目の情報に対応するドットパターンが印刷されたものであって、
前記プログラムは、
利用者に関する利用者情報と、前記帳票を識別する帳票識別情報とを登録情報として取得する登録情報取得手段、
前記登録情報に含まれる前記帳票識別情報に基づいて、前記利用者情報を、情報管理テーブルに記憶する利用者情報記憶手段、
前記帳票の各項目と、前記ドットパターン上のそれぞれの位置座標とを対応付けた座標情報を記憶する座標情報記憶手段、
前記帳票に記入された記入情報を取得する記入情報取得手段、
前記記入情報及び前記座標情報に基づいて、帳票識別情報を特定する帳票識別情報特定手段、
前記座標情報に基づいて、前記記入情報から前記各項目に記入された項目情報を抽出する項目情報抽出手段、
前記帳票識別情報特定手段が特定した帳票識別情報に基づいて、前記項目情報を、前記情報管理テーブルにさらに記憶する項目情報記憶手段、として前記コンピュータを機能させることを特徴とするプログラム。
【請求項７】
電子ペンにより認識可能なドットパターンが印刷された電子ペン用帳票を使用して検診を行うコンピュータにより実行されるプログラムにおいて、
前記電子ペン用帳票は、項目名及び記入欄により構成される複数の項目を含んでおり、前記電子ペンにより記入を行うものであって、
前記記入欄の部分は、前記記入欄の情報に対応するドットパターンが印刷されており、
前記項目名の部分は、前記帳票の識別情報である帳票識別情報を含み、前記項目名の情報に対応するドットパターンが印刷された項目名シールが添付されたものであって、
前記プログラムは、
利用者に関する利用者情報と、前記帳票に添付された項目名シールに含まれる帳票識別情報とを登録情報として取得する登録情報取得手段、
前記登録情報に含まれる前記帳票識別情報に基づいて、前記利用者情報を、情報管理テーブルに記憶する利用者情報記憶手段、
前記帳票に添付された項目名シールの各項目名及び前記帳票に含まれる各記入欄と、前記ドットパターン上のそれぞれの位置座標とを対応付けた座標情報を記憶する座標情報記憶手段、
前記項目名シール及び前記帳票に記入された記入情報を取得する記入情報取得手段、
前記記入情報及び前記座標情報に基づいて、帳票識別情報を特定する帳票識別情報特定手段、
前記座標情報に基づいて、前記記入情報から各項目名に対応する記入欄に記入された情報を項目情報として抽出する項目情報抽出手段、
前記帳票識別情報特定手段が特定した帳票識別情報に基づいて、前記項目情報を、前記情報管理テーブルにさらに記憶する項目情報記憶手段、として前記コンピュータを機能させることを特徴とするプログラム。
【請求項８】
電子ペンにより認識可能なドットパターンが印刷された電子ペン用帳票を使用したコンピュータにより実行されるプログラムにおいて、
前記電子ペン用帳票は、検診の結果を記入するための受診票と、前記受診票を使用する利用者を識別するための識別帳票とから構成されており、
前記受診票は、前記電子ペンにより記入を行う複数の受診項目を含み、前記受診項目の情報に対応するドットパターンが印刷されたものであり、
前記識別帳票は、前記電子ペンにより記入を行い、前記利用者を識別する利用者識別情報に対応する複数の識別項目を含み、当該識別項目の情報に対応するドットパターンが印刷されたものであって、
前記プログラムは、
前記利用者に関する利用者情報と、前記利用者識別情報とを登録情報として取得する登録情報取得手段、
前記登録情報に含まれる利用者識別情報に基づいて、前記利用者情報を、情報管理テーブルに記憶する利用者情報記憶手段、
前記受診票の各受診項目と、前記ドットパターン上のそれぞれの位置座標とを対応付けた受診票座標情報を記憶する受診票座標情報記憶手段、
前記識別帳票の各識別項目と、前記ドットパターン上のそれぞれの位置座標とを対応付けた識別帳票座標情報を記憶する識別帳票座標情報記憶手段、
前記受診票及び前記識別帳票に記入された記入情報を取得する記入情報取得手段、
前記記入情報及び前記識別帳票座標情報に基づいて、ストロークが記入された識別項目に対応する利用者識別情報を特定する利用者識別情報特定手段、
前記受診票座標情報に基づいて、前記記入情報から前記各受診項目に記入された項目情報を抽出する項目情報抽出手段、
前記利用者識別情報特定手段が特定した利用者識別情報に基づいて、前記項目情報を、前記情報管理テーブルにさらに記憶する項目情報記憶手段、として前記コンピュータを機能させることを特徴とするプログラム。
【請求項９】
相互に通信可能な受付端末、検査課端末及び検診サーバから構成されており、電子ペンにより認識可能なドットパターンが印刷された電子ペン用帳票を使用して検診を行う検診システムにおいて、
前記電子ペン用帳票は、前記電子ペンにより記入を行う複数の項目を含み、前記項目の情報に対応するドットパターンが印刷されたものであって、
前記受付端末は、
利用者に関する利用者情報と、前記帳票を識別する帳票識別情報とを登録情報として前記検診サーバへ送信する登録情報送信手段を備え、
前記検査課端末は、
前記帳票に記入された記入情報を前記検診サーバへ送信する記入情報送信手段と、
前記検診サーバから、検診の進捗状況を示す状況確認画面を受診する状況確認画面受診手段と、
前記状況確認画面を表示する表示手段と、を備え、
前記検診サーバは、
前記受付端末から前記登録情報を取得する登録情報取得手段と、
前記登録情報に含まれる前記帳票識別情報に基づいて、前記利用者情報を、情報管理テーブルに記憶する利用者情報記憶手段と、
前記帳票の各項目と、前記ドットパターン上のそれぞれの位置座標とを対応付けた座標情報を記憶する座標情報記憶手段と、
前記検査課端末から前記記入情報を取得する記入情報取得手段と、
前記記入情報及び前記座標情報に基づいて、帳票識別情報を特定する帳票識別情報特定手段と、
前記座標情報に基づいて、前記記入情報から前記各項目に記入された項目情報を抽出する項目情報抽出手段と、
前記帳票識別情報特定手段が特定した帳票識別情報に基づいて、前記項目情報を、前記情報管理テーブルにさらに記憶する項目情報記憶手段と、
前記情報管理テーブルに記憶された項目情報に基づいて、前記状況確認画面を作成する状況確認画面作成手段と、
前記記入情報取得手段が前記記入情報を取得したときに、前記状況確認画面作成手段が作成した状況確認画面を前記検査課端末に送信する状況確認画面送信手段と、を備えることを特徴とする検診システム。
【請求項１０】
相互に通信可能な受付端末、検査課端末及び検診サーバから構成されており、電子ペンにより認識可能なドットパターンが印刷された電子ペン用帳票を使用して検診を行う検診システムにおいて、
前記電子ペン用帳票は、項目名及び記入欄により構成される複数の項目を含んでおり、前記電子ペンにより記入を行うものであって、
前記記入欄の部分は、前記記入欄の情報に対応するドットパターンが印刷されており、
前記項目名の部分は、前記帳票の識別情報である帳票識別情報を含み、前記項目名の情報に対応するドットパターンが印刷された項目名シールが添付されたものであって、
前記受付端末は、
前記利用者に関する利用者情報と、前記帳票を識別する帳票識別情報とを登録情報として前記検診サーバへ送信する登録情報送信手段を備え、
前記検査課端末は、
前記帳票に添付された項目名シール及び前記帳票に記入された記入情報を前記検診サーバへ送信する記入情報送信手段と、
前記検診サーバから、検診の進捗状況を示す状況確認画面を受診する状況確認画面受診手段と、
前記状況確認画面を表示する表示手段と、を備え、
前記検診サーバは、
前記受付端末から前記登録情報を取得する登録情報取得手段と、
前記登録情報に含まれる前記帳票識別情報に基づいて、前記利用者情報を、情報管理テーブルに記憶する利用者情報記憶手段と、
前記帳票に添付された項目名シールの各項目名及び前記帳票に含まれる各記入欄と、前記ドットパターン上のそれぞれの位置座標とを対応付けた座標情報を記憶する座標情報記憶手段と、
前記検査課端末から前記記入情報を取得する記入情報取得手段と、
前記記入情報及び前記座標情報に基づいて、帳票識別情報を特定する帳票識別情報特定手段と、
前記座標情報に基づいて、前記記入情報から各項目名に対応する記入欄に記入された情報を項目情報として抽出する項目情報抽出手段と、
前記帳票識別情報特定手段が特定した帳票識別情報に基づいて、前記項目情報を、前記情報管理テーブルにさらに記憶する項目情報記憶手段と、
前記情報管理テーブルに記憶された項目情報に基づいて、前記状況確認画面を作成する状況確認画面作成手段と、
前記記入情報取得手段が前記記入情報を取得したときに、前記状況確認画面作成手段が作成した状況確認画面を前記検査課端末に送信する状況確認画面送信手段と、を備えることを特徴とする検診システム。
【請求項１１】
相互に通信可能な受付端末、検査課端末及び検診サーバから構成されており、電子ペンにより認識可能なドットパターンが印刷された電子ペン用帳票を使用して検診を行う検診システムにおいて、
前記電子ペン用帳票は、検診の結果を記入するための受診票と、前記受診票を使用する利用者を識別するための識別帳票とから構成されており、
前記受診票は、前記電子ペンにより記入を行う複数の受診項目を含み、前記受診項目の情報に対応するドットパターンが印刷されたものであり、
前記識別帳票は、前記電子ペンにより記入を行い、前記利用者を識別する利用者識別情報に対応する複数の識別項目を含み、当該識別項目の情報に対応するドットパターンが印刷されたものであって、
前記受付端末は、
前記利用者に関する利用者情報と、前記利用者を識別する利用者識別情報とを登録情報として前記検診サーバへ送信する登録情報送信手段を備え、
前記検査課端末は、
前記受信票及び前記識別帳票に記入された記入情報を前記検診サーバへ送信する記入情報送信手段と、
前記検診サーバから、検診の進捗状況を示す状況確認画面を受診する状況確認画面受診手段と、
前記状況確認画面を表示する表示手段と、を備え、
前記検診サーバは、
前記受付端末から前記登録情報を取得する登録情報取得手段と、
前記登録情報に含まれる利用者識別情報に基づいて、前記利用者情報を、情報管理テーブルに記憶する利用者情報記憶手段と、
前記受診票の各受診項目と、前記ドットパターン上のそれぞれの位置座標とを対応付けた受診票座標情報を記憶する受診票座標情報記憶手段と、
前記識別帳票の各識別項目と、前記ドットパターン上のそれぞれの位置座標とを対応付けた識別帳票座標情報を記憶する識別帳票座標情報記憶手段と、
前記検査課端末から前記記入情報を取得する記入情報取得手段と、
前記記入情報及び前記識別帳票座標情報に基づいて、ストロークが記入された識別項目に対応する利用者識別情報を特定する利用者識別情報特定手段と、
前記受診票座標情報に基づいて、前記記入情報から前記各受診項目に記入された項目情報を抽出する項目情報抽出手段と、
前記利用者識別情報特定手段が特定した利用者識別情報に基づいて、前記項目情報を、前記情報管理テーブルにさらに記憶する項目情報記憶手段と、
前記情報管理テーブルに記憶された項目情報に基づいて、前記状況確認画面を作成する状況確認画面作成手段と、
前記記入情報取得手段が前記記入情報を取得したときに、前記状況確認画面作成手段が作成した状況確認画面を前記検査課端末に送信する状況確認画面送信手段と、を備えることを特徴とする検診システム。
【発明の詳細な説明】
【技術分野】
【０００１】
本発明は、電子ペンで記入した情報の中から特定の情報を抽出し、処理する技術に関する。
【背景技術】
【０００２】
従来から、健康診断等で使用される受診票に記入されるデータを電子化し、管理するシステムが知られている。
【０００３】
このようなシステムにおいて、具体的に、受診票に記入された手書きのデータを見ながらキーパンチ入力する方法が知られている。しかし、この場合、入力誤りといった人為的ミスが発生する可能性が高く、入力を行う作業の負荷が大きいという問題がある。
【０００４】
また、このようなシステムにおいて、具体的に、ＯＣＲ（Optical Character Reader）用紙に記入した測定値を文字認識ソフトでテキスト化し、データベースに格納する方法が知られている。しかし、この場合、受診票への記入時にオンタイムでデータを集計することができないため、受診者の受診状況をリアルタイムに把握することが難しいという問題がある。
【０００５】
最近では、直接所定のデータベースに測定値を格納する機能を持った測定器も発表されているが、複数の検査課を巡回して検診する健康診断のように常に移動を伴う場合や、このような測定器によらない小規模な検診の場合には適用することができない。
【発明の開示】
【発明が解決しようとする課題】
【０００６】
本発明は、以上の点に鑑みてなされたものであり、電子ペンを利用して記入した情報を、受診票の識別情報に基づいて管理することにより、容易に所定の検診の進捗状況を確認することができる検診システムを提供することを課題とする。
【課題を解決するための手段】
【０００７】
本発明の１つの観点では、電子ペンにより認識可能なドットパターンが印刷された電子ペン用帳票を使用して検診を行う検診サーバにおいて、前記電子ペン用帳票は、前記電子ペンにより記入を行う複数の項目を含み、前記項目の情報に対応するドットパターンが印刷されたものであって、前記検診サーバは、利用者に関する利用者情報と、前記帳票を識別する帳票識別情報とを登録情報として取得する登録情報取得手段と、前記登録情報に含まれる前記帳票識別情報に基づいて、前記利用者情報を、情報管理テーブルに記憶する利用者情報記憶手段と、前記帳票の各項目と、前記ドットパターン上のそれぞれの位置座標とを対応付けた座標情報を記憶する座標情報記憶手段と、前記帳票に記入された記入情報を取得する記入情報取得手段と、前記記入情報及び前記座標情報に基づいて、帳票識別情報を特定する帳票識別情報特定手段と、前記座標情報に基づいて、前記記入情報から前記各項目に記入された項目情報を抽出する項目情報抽出手段と、前記帳票識別情報特定手段が特定した帳票識別情報に基づいて、前記項目情報を、前記情報管理テーブルにさらに記憶する項目情報記憶手段と、を備える。
【０００８】
上記のように構成される検診サーバは、まず、氏名や生年月日といった利用者に関する利用者情報と、利用者が保有する帳票の識別情報である帳票識別情報とを登録情報として取得する。具体的に、利用者とは、本発明を健康診断に適用した場合における受診者などである。そして、検診サーバは、取得した登録情報に含まれる帳票識別情報をキーとして、利用者情報を情報管理テーブルに記憶する。一方、利用者は所定の検診を行い、検診結果は、電子ペンを使用して帳票に記入される。具体的に、本発明を健康診断に適用した場合、検診結果は、医師や検診を行ったスタッフなどにより記入される。電子ペンは、移動に伴って帳票上のドットパターンを読み取り、帳票に記入されたチェックマークや文字などに関する記入情報を取得する。ここで、記入情報には、当該ドットパターン上の位置座標が含まれている。電子ペンが取得した記入情報は、検診サーバにより取得される。検診サーバは、記入情報及び座標情報に基づいて、記入が行われた帳票を識別する帳票識別情報を特定する。また、検診サーバは、記入情報及び座標情報に基づいて、帳票の各項目に記入された項目情報を抽出する。そして、検診サーバは、特定した帳票識別情報に対応付けて、項目情報を情報管理テーブルに記憶する。
【０００９】
これによれば、帳票に記入した情報を直接情報管理テーブルへ容易に記憶し、管理することができる。そのため、オンタイムで複数の帳票に記入された情報を集計することができ、記入された項目又は記入されていない項目を容易に把握することができる。また、一度ボールペンなどで記入された受診票を目視しながらパンチ入力する方法と比べて、電子ペン用帳票を使用する方法は、入力ミスを防止するとともに、入力作業を行うスタッフの負荷を軽減することができる。
【００１０】
本発明の別の観点では、電子ペンにより認識可能なドットパターンが印刷された電子ペン用帳票を使用して検診を行う検診サーバにおいて、前記電子ペン用帳票は、項目名及び記入欄により構成される複数の項目を含んでおり、前記電子ペンにより記入を行うものであって、前記記入欄の部分は、前記記入欄の情報に対応するドットパターンが印刷されており、前記項目名の部分は、前記帳票の識別情報である帳票識別情報を含み、前記項目名の情報に対応するドットパターンが印刷された項目名シールが添付されたものであって、前記検診サーバは、利用者に関する利用者情報と、前記帳票に添付された項目名シールに含まれる帳票識別情報とを登録情報として取得する登録情報取得手段と、前記登録情報に含まれる前記帳票識別情報に基づいて、前記利用者情報を、情報管理テーブルに記憶する利用者情報記憶手段と、前記帳票に添付された項目名シールの各項目名及び前記帳票に含まれる各記入欄と、前記ドットパターン上のそれぞれの位置座標とを対応付けた座標情報を記憶する座標情報記憶手段と、前記項目名シール及び前記帳票に記入された記入情報を取得する記入情報取得手段と、前記記入情報及び前記座標情報に基づいて、帳票識別情報を特定する帳票識別情報特定手段と、前記座標情報に基づいて、前記記入情報から各項目名に対応する記入欄に記入された情報を項目情報として抽出する項目情報抽出手段と、前記帳票識別情報特定手段が特定した帳票識別情報に基づいて、前記項目情報を、前記情報管理テーブルにさらに記憶する項目情報記憶手段と、を備える。
【００１１】
上記のように構成される検診サーバは、まず、氏名や生年月日といった利用者に関する利用者情報と、利用者が保有する帳票に添付された項目名シールに基づく帳票識別情報とを登録情報として取得する。具体的に、利用者とは、本発明を健康診断に適用した場合における受診者などである。そして、検診サーバは、取得した登録情報に含まれる帳票識別情報をキーとして、利用者情報を情報管理テーブルに記憶する。一方、利用者は所定の検診を行い、検診結果は、電子ペンを使用して帳票に記入される。このとき、検診結果に対応する各項目名の部分にチェックマークを記入してから検診結果を記入するものとする。具体的に、本発明を健康診断に適用した場合、検診結果は、医師や検診を行ったスタッフなどにより記入される。電子ペンは、移動に伴って帳票上のドットパターンを読み取り、帳票に記入されたチェックマークや文字などに関する記入情報を取得する。ここで、記入情報には、当該ドットパターン上の位置座標が含まれている。電子ペンが取得した記入情報は、検診サーバにより取得される。検診サーバは、記入情報及び座標情報に基づいて、記入が行われた帳票を識別する帳票識別情報を特定する。また、検診サーバは、記入情報及び座標情報に基づいて、帳票の各項目に記入された項目情報を抽出する。そして、検診サーバは、特定した帳票識別情報に対応付けて、項目情報を情報管理テーブルに記憶する。
【００１２】
これによれば、帳票に記入した情報を直接情報管理テーブルへ容易に記憶し、管理することができる。また、項目名シールに印刷するドットパターンを全て異なるものにすることで帳票を識別することが可能なため、帳票に印刷するドットパターンは全て同一のものとすることができる。よって、ドットパターンを節約することができる。
【００１３】
本発明の別の観点では、電子ペンにより認識可能なドットパターンが印刷された電子ペン用帳票を使用した検診サーバにおいて、前記電子ペン用帳票は、検診の結果を記入するための受診票と、前記受診票を使用する利用者を識別するための識別帳票とから構成されており、前記受診票は、前記電子ペンにより記入を行う複数の受診項目を含み、前記受診項目の情報に対応するドットパターンが印刷されたものであり、前記識別帳票は、前記電子ペンにより記入を行い、前記利用者を識別する利用者識別情報に対応する複数の識別項目を含み、当該識別項目の情報に対応するドットパターンが印刷されたものであって、前記検診サーバは、前記利用者に関する利用者情報と、前記利用者識別情報とを登録情報として取得する登録情報取得手段と、前記登録情報に含まれる利用者識別情報に基づいて、前記利用者情報を、情報管理テーブルに記憶する利用者情報記憶手段と、前記受診票の各受診項目と、前記ドットパターン上のそれぞれの位置座標とを対応付けた受診票座標情報を記憶する受診票座標情報記憶手段と、前記識別帳票の各識別項目と、前記ドットパターン上のそれぞれの位置座標とを対応付けた識別帳票座標情報を記憶する識別帳票座標情報記憶手段と、前記受診票及び前記識別帳票に記入された記入情報を取得する記入情報取得手段と、前記記入情報及び前記識別帳票座標情報に基づいて、ストロークが記入された識別項目に対応する利用者識別情報を特定する利用者識別情報特定手段と、前記受診票座標情報に基づいて、前記記入情報から前記各受診項目に記入された項目情報を抽出する項目情報抽出手段と、前記利用者識別情報特定手段が特定した利用者識別情報に基づいて、前記項目情報を、前記情報管理テーブルにさらに記憶する項目情報記憶手段と、を備える。
【００１４】
上記のように構成される検診サーバは、まず、氏名や生年月日といった利用者に関する利用者情報と、当該利用者を識別する利用者識別情報とを登録情報として取得する。具体的に、利用者とは、本発明を健康診断に適用した場合における受診者などである。そして、検診サーバは、取得した登録情報に含まれる利用者識別情報をキーとして、利用者情報を情報管理テーブルに記憶する。一方、利用者は所定の検診を行い、検診結果は、電子ペンを使用して受診票に記入される。このとき、識別帳票において、利用者の利用者識別情報に対応する識別項目にチェックマークを記入してから、受診票において検診結果を記入するものとする。具体的に、本発明を健康診断に適用した場合、検診結果は、医師や検診を行ったスタッフなどにより記入される。電子ペンは、移動に伴って帳票上のドットパターンを読み取り、帳票に記入されたチェックマークや文字などに関する記入情報を取得する。ここで、記入情報には、当該ドットパターン上の位置座標が含まれている。電子ペンが取得した記入情報は、検診サーバにより取得される。検診サーバは、記入情報及び識別帳票座標情報に基づいて、チェックマークが記入された識別項目に対応する利用者識別情報を特定する。また、検診サーバは、記入情報及び受診票座標情報に基づいて、受診票の各受診項目に記入された項目情報を抽出する。そして、検診サーバは、特定した利用者識別情報に対応付けて項目情報を情報管理テーブルに記憶する。
【００１５】
これによれば、帳票に記入した情報を直接情報管理テーブルへ容易に記憶し、管理することができる。また、識別帳票により利用者を識別するため、受診票に印刷するドットパターンは全て同一のものとすることができる。よって、ドットパターンを節約することができる。
【００１６】
上記検診サーバの一態様では、前記検診サーバは、複数の端末装置と通信可能に接続されており、前記記入情報取得手段は、前記端末装置から前記記入情報を取得するものであって、前記情報管理テーブルに記憶された項目情報に基づいて、検診の進捗状況を示す状況確認画面を作成する状況確認画面作成手段と、前記記入情報取得手段が前記記入情報を取得したときに、前記状況確認画面作成手段が作成した状況確認画面を前記端末装置に送信する状況確認画面送信手段と、を備える。
【００１７】
これによれば、検診サーバは、所定の端末装置から記入情報を取得して項目情報を情報管理テーブルに記憶した際に、その時点で情報管理テーブルに記憶されている項目情報に基づいて状況確認画面を作成する。この状況確認画面により、検診の進捗状況を容易に把握することができ、未受診の利用者へ受診を促すなど検診を円滑に進めるためのサポートを行うことができる。また、電子ペンから端末装置を介して検診サーバへ記入情報が確実に送信できたか否かを状況確認画面により確認することもできる。
【００１８】
上記検診サーバの他の一態様では、前記情報管理テーブルに記憶された項目情報に基づいて、特定の利用者の検診結果を示す検診結果画面を作成する検診結果画面作成手段と、前記検診結果画面作成手段が作成した検診結果画面を前記端末装置に送信する検診結果画面送信手段と、前記端末装置から前記検診結果を変更する変更情報を取得する変更情報取得手段と、前記変更情報に基づいて、前記情報管理テーブルに記憶された項目情報を変更する項目情報変更手段と、を備える。
【００１９】
上記のように構成された検診サーバは、情報管理テーブルに記憶された項目情報に基づいて、各項目に対応する検診結果を特定することで検診結果画面を作成する。そして、検診サーバは、作成した検診結果画面を端末装置へ送信する。端末装置は、受信した検診結果画面を画面上に表示し、誤記などがあれば当該画面上で追加、修正といった変更を行う。そして、端末装置は、検診結果画面において行った検診結果の変更に関する変更情報を検診サーバへ送信する。変更情報を受信した検診サーバは、当該変更情報に基づいて情報管理テーブルに記憶された項目情報を変更する。これによれば、検診結果を記入した者は、所定の端末装置の画面上で容易に検診結果の確認を行うことができる。また、追加事項の記入や誤記の修正といった変更を容易に行うことができる。
【００２０】
本発明の別の観点では、電子ペンにより認識可能なドットパターンが印刷された電子ペン用帳票を使用して検診を行うコンピュータにより実行されるプログラムにおいて、前記電子ペン用帳票は、前記電子ペンにより記入を行う複数の項目を含み、前記項目の情報に対応するドットパターンが印刷されたものであって、前記プログラムは、利用者に関する利用者情報と、前記帳票を識別する帳票識別情報とを登録情報として取得する登録情報取得手段、前記登録情報に含まれる前記帳票識別情報に基づいて、前記利用者情報を、情報管理テーブルに記憶する利用者情報記憶手段、前記帳票の各項目と、前記ドットパターン上のそれぞれの位置座標とを対応付けた座標情報を記憶する座標情報記憶手段、前記帳票に記入された記入情報を取得する記入情報取得手段、前記記入情報及び前記座標情報に基づいて、帳票識別情報を特定する帳票識別情報特定手段、前記座標情報に基づいて、前記記入情報から前記各項目に記入された項目情報を抽出する項目情報抽出手段、前記帳票識別情報特定手段が特定した帳票識別情報に基づいて、前記項目情報を、前記情報管理テーブルにさらに記憶する項目情報記憶手段、として前記コンピュータを機能させる。
【００２１】
上記プログラムをコンピュータにより実行することにより、上述の検診サーバを実現することができる。また、上述の検診サーバの各態様も同様に実現することができる。
【００２２】
本発明の別の観点では、相互に通信可能な受付端末、検査課端末及び検診サーバから構成されており、電子ペンにより認識可能なドットパターンが印刷された電子ペン用帳票を使用して検診を行う検診システムにおいて、前記電子ペン用帳票は、前記電子ペンにより記入を行う複数の項目を含み、前記項目の情報に対応するドットパターンが印刷されたものであって、前記受付端末は、利用者に関する利用者情報と、前記帳票を識別する帳票識別情報とを登録情報として前記検診サーバへ送信する登録情報送信手段を備え、前記検査課端末は、前記帳票に記入された記入情報を前記検診サーバへ送信する記入情報送信手段と、前記検診サーバから、検診の進捗状況を示す状況確認画面を受診する状況確認画面受診手段と、前記状況確認画面を表示する表示手段と、を備え、前記検診サーバは、前記受付端末から前記登録情報を取得する登録情報取得手段と、前記登録情報に含まれる前記帳票識別情報に基づいて、前記利用者情報を、情報管理テーブルに記憶する利用者情報記憶手段と、前記帳票の各項目と、前記ドットパターン上のそれぞれの位置座標とを対応付けた座標情報を記憶する座標情報記憶手段と、前記検査課端末から前記記入情報を取得する記入情報取得手段と、前記記入情報及び前記座標情報に基づいて、帳票識別情報を特定する帳票識別情報特定手段と、前記座標情報に基づいて、前記記入情報から前記各項目に記入された項目情報を抽出する項目情報抽出手段と、前記帳票識別情報特定手段が特定した帳票識別情報に基づいて、前記項目情報を、前記情報管理テーブルにさらに記憶する項目情報記憶手段と、前記情報管理テーブルに記憶された項目情報に基づいて、前記状況確認画面を作成する状況確認画面作成手段と、前記記入情報取得手段が前記記入情報を取得したときに、前記状況確認画面作成手段が作成した状況確認画面を前記検査課端末に送信する状況確認画面送信手段と、を備える。
【００２３】
上記のように構成された検診システムにおいて、受付端末とは、利用者が利用者情報を提示し、電子ペン用帳票を取得する端末であり、ネットワークを介するデータの送受信が可能なパーソナルコンピュータ等が挙げられる。また、検査課端末とは、検診を行う各検査課が保有する端末であり、受付端末と同様に、ネットワークを介するデータの送受信が可能なパーソナルコンピュータ等が挙げられる。これによれば、帳票に記入した情報を直接情報管理テーブルへ容易に記憶し、管理することができる。そのため、オンタイムで複数の帳票に記入された情報を集計することができ、記入された項目又は記入されていない項目を容易に把握することができる。また、一度ボールペンなどで記入された受診票を目視しながらパンチ入力する方法と比べて、電子ペン用帳票を使用する方法は、入力ミスを防止するとともに、入力作業を行うスタッフの負荷を軽減することができる。また、状況確認画面により、検診の進捗状況を容易に把握することができ、未受診の利用者へ受診を促すなど検診を円滑に進めるためのサポートを行うことができる。また、電子ペンから端末装置を介して検診サーバへ記入情報が確実に送信できたか否かを状況確認画面により確認することもできる。
【００２４】
本発明の別の観点では、相互に通信可能な受付端末、検査課端末及び検診サーバから構成されており、電子ペンにより認識可能なドットパターンが印刷された電子ペン用帳票を使用して検診を行う検診システムにおいて、前記電子ペン用帳票は、項目名及び記入欄により構成される複数の項目を含んでおり、前記電子ペンにより記入を行うものであって、前記記入欄の部分は、前記記入欄の情報に対応するドットパターンが印刷されており、前記項目名の部分は、前記帳票の識別情報である帳票識別情報を含み、前記項目名の情報に対応するドットパターンが印刷された項目名シールが添付されたものであって、前記受付端末は、前記利用者に関する利用者情報と、前記帳票を識別する帳票識別情報とを登録情報として前記検診サーバへ送信する登録情報送信手段を備え、前記検査課端末は、前記帳票に添付された項目名シール及び前記帳票に記入された記入情報を前記検診サーバへ送信する記入情報送信手段と、前記検診サーバから、検診の進捗状況を示す状況確認画面を受診する状況確認画面受診手段と、前記状況確認画面を表示する表示手段と、を備え、前記検診サーバは、前記受付端末から前記登録情報を取得する登録情報取得手段と、前記登録情報に含まれる前記帳票識別情報に基づいて、前記利用者情報を、情報管理テーブルに記憶する利用者情報記憶手段と、前記帳票に添付された項目名シールの各項目名及び前記帳票に含まれる各記入欄と、前記ドットパターン上のそれぞれの位置座標とを対応付けた座標情報を記憶する座標情報記憶手段と、前記検査課端末から前記記入情報を取得する記入情報取得手段と、前記記入情報及び前記座標情報に基づいて、帳票識別情報を特定する帳票識別情報特定手段と、前記座標情報に基づいて、前記記入情報から各項目名に対応する記入欄に記入された情報を項目情報として抽出する項目情報抽出手段と、前記帳票識別情報特定手段が特定した帳票識別情報に基づいて、前記項目情報を、前記情報管理テーブルにさらに記憶する項目情報記憶手段と、前記情報管理テーブルに記憶された項目情報に基づいて、前記状況確認画面を作成する状況確認画面作成手段と、前記記入情報取得手段が前記記入情報を取得したときに、前記状況確認画面作成手段が作成した状況確認画面を前記検査課端末に送信する状況確認画面送信手段と、を備える。
【００２５】
これによれば、帳票に記入した情報を直接情報管理テーブルへ容易に記憶し、管理することができる。また、項目名シールに印刷するドットパターンを全て異なるものにすることで帳票を識別することが可能なため、帳票に印刷するドットパターンは全て同一のものとすることができる。よって、ドットパターンを節約することができる。
【００２６】
本発明のさらに別の観点では、相互に通信可能な受付端末、検査課端末及び検診サーバから構成されており、電子ペンにより認識可能なドットパターンが印刷された電子ペン用帳票を使用して検診を行う検診システムにおいて、前記電子ペン用帳票は、検診の結果を記入するための受診票と、前記受診票を使用する利用者を識別するための識別帳票とから構成されており、前記受診票は、前記電子ペンにより記入を行う複数の受診項目を含み、前記受診項目の情報に対応するドットパターンが印刷されたものであり、前記識別帳票は、前記電子ペンにより記入を行い、前記利用者を識別する利用者識別情報に対応する複数の識別項目を含み、当該識別項目の情報に対応するドットパターンが印刷されたものであって、前記受付端末は、前記利用者に関する利用者情報と、前記利用者を識別する利用者識別情報とを登録情報として前記検診サーバへ送信する登録情報送信手段を備え、前記検査課端末は、前記受信票及び前記識別帳票に記入された記入情報を前記検診サーバへ送信する記入情報送信手段と、前記検診サーバから、検診の進捗状況を示す状況確認画面を受診する状況確認画面受診手段と、前記状況確認画面を表示する表示手段と、を備え、前記検診サーバは、前記受付端末から前記登録情報を取得する登録情報取得手段と、前記登録情報に含まれる利用者識別情報に基づいて、前記利用者情報を、情報管理テーブルに記憶する利用者情報記憶手段と、前記受診票の各受診項目と、前記ドットパターン上のそれぞれの位置座標とを対応付けた受診票座標情報を記憶する受診票座標情報記憶手段と、前記識別帳票の各識別項目と、前記ドットパターン上のそれぞれの位置座標とを対応付けた識別帳票座標情報を記憶する識別帳票座標情報記憶手段と、前記検査課端末から前記記入情報を取得する記入情報取得手段と、前記記入情報及び前記識別帳票座標情報に基づいて、ストロークが記入された識別項目に対応する利用者識別情報を特定する利用者識別情報特定手段と、前記受診票座標情報に基づいて、前記記入情報から前記各受診項目に記入された項目情報を抽出する項目情報抽出手段と、前記利用者識別情報特定手段が特定した利用者識別情報に基づいて、前記項目情報を、前記情報管理テーブルにさらに記憶する項目情報記憶手段と、前記情報管理テーブルに記憶された項目情報に基づいて、前記状況確認画面を作成する状況確認画面作成手段と、前記記入情報取得手段が前記記入情報を取得したときに、前記状況確認画面作成手段が作成した状況確認画面を前記検査課端末に送信する状況確認画面送信手段と、を備える。
【００２７】
これによれば、帳票に記入した情報を直接情報管理テーブルへ容易に記憶し、管理することができる。また、識別帳票により利用者を識別するため、受診票に印刷するドットパターンは全て同一のものとすることができる。よって、ドットパターンを節約することができる。
【発明の効果】
【００２８】
本発明によれば、電子ペンを利用して記入した情報を、受診票の識別情報に基づいて管理することにより、容易に所定の検診の進捗状況を確認することができる。
【発明を実施するための最良の形態】
【００２９】
以下、図面を参照して本発明の好適な実施の形態について説明する。まず、本発明のシステムにおいて入力デバイスとして使用される電子ペンの概要について説明する。
【００３０】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００３１】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００３２】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００３３】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００３４】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３５】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３６】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３７】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３８】
バッテリー１４は電子ペン１０内の各要素に電源供給するためのものであり、例えば電子ペンのキャップ（図示せず）により電子ペン１０自体の電源のオン／オフを行うことができる。
【００３９】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００４０】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００４１】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００４２】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００４３】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００４４】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００４５】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００４６】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４７】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４８】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４９】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００５０】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００５１】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００５２】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００５３】
なお、本明細書においては、「印刷」の語は、通常の印刷のみならず、プリンタによるプリントも含む概念とする。
【００５４】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００５５】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００５６】
[検診システム]
次に、本発明の検診システムについて説明する。図７に検診システム１００の概略構成を示す。図７に示す検診システム１００は、受診票を持った受診者が複数の検査課を巡回するような健康診断において、医者や検査課スタッフが電子ペンを使用して記入した情報を受信票ＩＤに基づいて記憶することで、検診の進捗状況をリアルタイム且つ容易に確認することができるものである。なお、本発明の検診システム１００で利用する電子ペン用帳票は、詳細は後述するが、受診票３であるものとする。
【００５７】
図７に示すように、検診システム１００は、受付端末２５、検査課端末２６及び検診サーバ５がネットワーク２を通じて接続されることにより構成される。ここで、ネットワーク２の１つの好適な例はインターネットである。また、受付端末２５とは、受付スタッフが使用するパーソナルコンピュータなどであって、ネットワーク２を介してデータの授受が可能な端末である。また、検査課端末２６は、検査課スタッフ等が使用するパーソナルコンピュータなどであって、受付端末２５と同様にネットワーク２を介してデータの授受が可能な端末である。なお、検査課端末２６は、複数の検査課にそれぞれ１台以上ずつ設置されているものとする。また、検診サーバ５は、情報管理データベース（以下、「ＤＢ」と呼ぶ。）７に接続されている。
【００５８】
まず、本システムにおける検診方法の概要を述べておく。図８は、受診者が健康診断において持ち歩く受診票３の構造を示す図である。受診票３は、上述の専用ペーパーとして作成されたものであり、印刷されているドットパターンは全て異なるものとする。また、受診票３は、図示のとおり、身長、体重といった受診項目の名称を示す項目名と、各項目に対応する検診結果を記入する記入欄から構成されている。なお、受診票３は、電子ペン１０が記憶している記入情報を、ネットワーク２を介して検診サーバ５へ送信するための送信ボックスを構成要素として含んでいるが便宜上図示しないものとする。ここで、記入情報とは、ペン情報、ストロークデータ、ドットパターン上の位置座標、記入した時刻に関する情報などを含むものとする。
【００５９】
受付スタッフは、まず、受診者と、当該受診者が持ち歩く受診票３との関連付けを行う。具体的に、受付スタッフは、受診者１人毎にユニークなドットパターンが印刷された受診票３を出力する。このとき、受付スタッフは、受診者の氏名や性別といった受診者情報を取得する。そして、受付スタッフは、受付端末２５から、受診票を識別する情報である受診票ＩＤ及び当該受診者情報を登録情報として検診サーバ５へ送信する。検診サーバ５は、取得した登録情報に含まれる受診票ＩＤをキーとして受診者情報を情報管理ＤＢ７に記憶する。ここで、受診票ＩＤは、受診票を識別する情報であるが、受診票は受診者１人につき１枚割り当てられるため、受診者を識別する情報ともいえる。
【００６０】
一方、受診者は、受付スタッフから渡された受診票３を持ち、複数の検査課を巡回して健康診断を受ける。ここで、各検査課が行う検診としては、具体的に、身長、体重及び血圧の測定、視力及び聴力の検査、内科検診などが挙げられる。受診者が所定の検査課での検診を終了すると、医師又は検査課スタッフは、電子ペン１０を利用して検診結果を受診票３に記入する。なお、電子ペン１０は、各検査課に１本配布されているものとする。このとき、電子ペン１０は、受診票３に記入された内容に対応するストロークデータを取得し、電子ペン１０内のメモリ１２に一時的に記憶した後、当該ストロークデータを検査課端末２６へ送信する。検査課端末２６は、電子ペン１０からストロークデータを受診し、ネットワーク２を通じて検診サーバ５へ送信する。このようにして、検診サーバ５は、ストロークデータを、検査課スタッフ等が受診票３に対して記入した検診結果を示す記入情報として取得する。
【００６１】
次に、検診サーバ５は、受診票３において各項目が設定されたドットパターン上の位置座標に基づいて、記入情報から各項目に記入されたストロークデータを抽出し、検診結果を特定する。なお、受診票３に印刷されたドットパターンは受診者毎に全て異なるため、検診サーバ５は、ドットパターン上の位置座標に基づいて、各受診者が持ち歩く受診票の受診票ＩＤを特定することができる。そして、検診サーバ５は、特定した受診票ＩＤに基づいて、各項目に対応する検診結果を情報管理ＤＢ７に記憶する。
【００６２】
さらに、検診サーバ５は、情報管理ＤＢ７に記憶された検診結果に基づいて、受診者の進捗状況を表す状況確認画面を作成し、検査課端末２６へ送信する。検査課端末２６は、受信した状況確認画面を表示する。ここで、状況確認画面は、図９に示すように、受診票ＩＤと、身長や体重といった項目名から構成されている。なお、受診票ＩＤは、各受診者が持ち歩く受診票を識別する情報であるため、当該受診票ＩＤから受診者を特定することができる。検診サーバ５は、状況確認画面において、情報管理ＤＢ７が既に検診結果を記憶している項目名に対しては「済」とし、情報管理ＤＢ７がまだ検診結果を記憶していない項目名に対しては「未」とする。これによれば、どの受診者がどの項目を受診したか、又は、受診していないかといった進捗状況を容易に把握することができる。よって、受診者への未受診項目のアナウンスなど健康診断の流れをスムーズにするサービスを提供することも可能となる。
【００６３】
このような状況確認画面において、図示のような検診結果出力ボタン６０が押下されると、検診サーバ５は、情報管理ＤＢ７に記憶された受診者情報及び検診結果に基づいて図１０に示すような検診結果画面を作成し、要求のあった検査課端末２６へ送信する。検査課端末２６は、受信した検診結果画面を表示し、画面上で検診結果の追加や修正といった変更を行うことができる。
【００６４】
このように、本発明の検診システム１００によれば、検査課スタッフ等が電子ペン１０を利用して記入した検診結果を、受診票ＩＤに基づいて情報管理ＤＢ７に記憶することにより、リアルタイムで所定の受診者の進捗状況を把握することができる。また、検査課スタッフ等は、所定の受診者の検診結果を確認し、端末上で容易に誤記の修正等を行うことができる。
【００６５】
[検診サーバ]
次に、検診サーバ５について詳しく説明する。図１１は、検診システム１００における、特に検診サーバ５の内部構成を示す。図示のように、検診サーバ５は、検診プログラム５００、登録情報取得機能５０１、登録情報記憶機能５０２、記入情報取得機能５０３、座標テーブル５０４、受診票ＩＤ特定機能５０５、項目情報抽出機能５０６、検診結果特定機能５０７、情報管理ＤＢ記憶機能５０８、状況確認画面作成機能５０９及び検診結果画面作成機能５１０から構成されている。なお、各機能は、サーバ５が有するＣＰＵが予め用意されたプログラムを実行することにより実現される。
【００６６】
検診プログラム５００は、電子ペン１０から取得した記入情報に基づいて、座標テーブル５０４を参照することにより、受診票３の各項目に記入された検診結果を情報管理ＤＢ７に記憶、管理するプログラムである。また、検診プログラム５００は、情報管理ＤＢ７に記憶された検診結果に基づいて、受診者の検診の進捗状況を示す状況確認画面を作成し、検査課端末２６上で表示させる。また、検診プログラム５００は、情報管理ＤＢ７に予め記憶された受診者情報及び検診結果に基づいて、受診者の検診結果を示す検診結果画面を作成し、検査課端末２６上で表示させる。
【００６７】
登録情報取得機能５０１は、検診プログラム５００を実行することにより、受診者の氏名や性別といった受診者情報と、受診者が持ち歩く受診票３の受診票ＩＤとを登録情報として受付端末２５から取得する機能である。
【００６８】
登録情報記憶機能５０２は、登録情報に含まれる受診票ＩＤをキーとして、情報管理ＤＢ７に受診者情報を記憶する機能である。
【００６９】
記入情報取得機能５０３は、検診プログラム５００を実行することにより、検査課スタッフが電子ペン１０を使用して受診票３に記入した検診結果を記入情報として取得する機能である。
【００７０】
座標テーブル５０４は、図１２に示すように、項目名、項目ＩＤ及び座標データから構成されている。項目名は、受診票３を構成する項目の名称である。項目ＩＤは、各項目を識別するための情報である。座標データは、各項目のドットパターン上の位置座標を示す情報であり、各項目の左上の座標及び右下の座標により表されている。座標テーブル５０４には送信ボックスの座標データも含まれているものとする。なお、各受診票３に印刷されるドットパターンは全て異なるため、座標テーブル５０４は、受診票毎に項目名、項目ＩＤ及び座標データを記憶しているものとする。
【００７１】
受診票ＩＤ特定機能５０５は、記入情報取得機能５０３が取得した記入情報及び座標テーブル５０４に基づいて、検査課スタッフが検診結果を記入した受診票の受診票ＩＤを特定する機能である。
【００７２】
項目情報抽出機能５０６は、記入情報ＤＢ５０３が取得した記入情報及び座標テーブル５０４に基づいて、各項目に記入された項目情報を抽出する機能である。
【００７３】
検診結果特定機能５０７は、項目情報抽出機能５０６が抽出した項目情報及び座標テーブル５０４に基づいて、検査課スタッフが記入した検診結果を特定する機能である。具体的に、図８に示すような受診票３において、身長項目や体重項目の項目情報に基づいて検診結果を特定する場合、検診結果特定機能５０７は、文字認識を行うことにより検査課スタッフが記入した数値を特定する。このように、受診票３において検査課スタッフ等が直接数字や文字を記入する領域を特に数値認識領域と呼ぶ。また、受診票３において、聴力項目や内科検診項目の項目情報に基づいて検診結果を特定する場合、検診結果特定機能５０７は、検査課スタッフがチェックマークを記入したボックスを特定する。例えば内科検診項目は、「特記事項なし」、「呼吸異常音」、「不整脈」及び「結膜貧血」の４つのボックスから構成されているが、検査課スタッフが「特記事項なし」のボックスにチェックマークを記入したとする。この場合、検診結果特定機能５０７は、内科検診項目の項目情報及び座標テーブル５０４に基づいて、「特記事項なし」ボックスにチェックマークが記入されたことを特定する。このように、受診票３において検査課スタッフ等が所定のボックスにチェックマーク等を記入する領域を特に選択肢領域と呼ぶ。
【００７４】
情報管理ＤＢ記憶機能５０８は、受診票ＩＤ特定機能５０５が特定した受診票ＩＤに基づいて、検診結果特定機能５０７が特定した各項目に対応する検診結果を、情報管理ＤＢ７に記憶する機能である。ここで、情報管理ＤＢ７について説明する。情報管理ＤＢ７は、図１３に示すように、受診票ＩＤをキーとして、受診者情報及び検診結果が記憶されている。受診者情報は氏名、性別及び生年月日から構成されており、検診結果は身長や体重などから構成されている。
【００７５】
状況確認画面作成機能５０９は、情報管理ＤＢ記憶機能５０８が記憶している検診結果に基づいて、図９に示すような状況確認画面を作成し、検査課端末２６へ送信する機能である。なお、状況確認画面の作成及び送信は、検査課スタッフ等から要求があった場合、検査課端末２６から記入情報を取得した場合など任意のタイミングで行うことが可能であるとする。
【００７６】
検診結果画面作成機能５１０は、情報管理ＤＢ記憶機能５０８が記憶している受診者情報及び検診結果に基づいて、図１０に示すような検診結果画面を作成し、検査課端末２６へ送信する機能である。そのため、図示のとおり、受診者がまだ受信しておらず、検診結果が情報管理ＤＢ７に記憶されていない項目については空欄となる。また、検診結果画面作成機能５１０は、検診結果画面を表示した検査課端末２６から、追加事項の追加や誤記の修正のために検診結果を変更する変更情報を取得した場合、当該変更情報に基づいて情報管理ＤＢ７に記憶された検診結果を変更する機能である。即ち、検査課スタッフ等は、検診サーバ５から受信した検診結果画面を表示しながら追加事項の追加や誤記の修正といった検診結果の変更を容易に行うことができる。なお、検診結果画面の作成及び送信は、状況確認画面において検診結果出力ボタン６０を押下された場合など任意のタイミングで行うことが可能であるとする。また、１人の受診者の検診結果のみでなく、複数の受診者の検診結果に基づいて検診結果画面を作成することも可能である。例えば、同じ日に受診した複数の受診者の検診結果に基づいて検診結果画面を作成し、検査課端末２６へ送信することも可能なため、検査課スタッフ等は容易に１日に受診した受診者の検診結果を確認することができる。
【００７７】
[検診処理]
次に、検診システム１００により実行される検診処理について説明する。図１４は、検診処理のフローチャートである。
【００７８】
健康診断の受診者は、まず、受付で自身に関する受診者情報を提示する。受付スタッフは、受診者毎にユニークなドットパターンを印刷した受診票３を受診者に渡す。そして、受付スタッフは、受付端末２５を使用して受診票３の受診票ＩＤ及び受診者情報を登録情報として検診サーバ５へ送信する。検診サーバ５は、ネットワーク２を介して受付端末２５から登録情報を取得する（ステップＳ１）。そして、検診サーバ５は、登録情報に含まれる受診票ＩＤをキーとして、受診者情報を情報管理ＤＢ７に記憶する（ステップＳ２）。
【００７９】
一方、受診者は、受付で渡された受診票３を持って複数の検査課を巡回することにより健康診断を行う。各検査課において受診者は所定の検診を行い、検査課スタッフは電子ペン１０を使用して検診結果を受診票３に記入する。検診結果の記入が終了すると、検査課スタッフは、受診票３の送信ボックスにチェックマークを記入することにより、検査課端末２６を介して記入情報を検診サーバ５へ送信する。
【００８０】
検診サーバ５は、ネットワーク２を介して検査課端末２６から記入情報を取得する（ステップＳ３）。そして、検診サーバ５は、取得した記入情報及び座標テーブル５０４に基づいて、電子ペン１０により検診結果が記入された受診票３の識別情報である受診票ＩＤを特定する（ステップＳ４）。また、検診サーバ５は、取得した記入情報及び座標テーブル５０４に基づいて、受診票３の各項目に記入された項目情報を抽出する（ステップＳ５）。さらに、検診サーバ５は、抽出した項目情報に基づいて電子ペン１０により記入された検診結果を特定する（ステップＳ６）。そして、検診サーバ５はステップＳ４において特定した受診票ＩＤに基づいて検診結果を情報管理ＤＢ７に記憶する（ステップＳ７）。
【００８１】
検診サーバ５は、検査課端末２６から状況確認画面要求があるか否かを判定し（ステップＳ８）、状況確認画面要求がある場合（ステップＳ８；Ｙｅｓ）、情報管理ＤＢ７に記憶された検診結果に基づいて状況確認画面を作成する（ステップＳ９）。そして、検診サーバ５は、要求のあった検査課端末２６へ作成した状況確認画面を送信する（ステップＳ１０）。一方、状況確認画面要求がない場合（ステップＳ８；Ｎｏ）、検診サーバ５は、ステップＳ１１へ進む。
【００８２】
また、検診サーバ５は、検査課端末２６から検診結果画面要求があるか否かを判定し（ステップＳ１１）、検診結果画面要求がある場合（ステップＳ１１；Ｙｅｓ）、情報管理ＤＢ７に記憶された検診結果及び受診者情報に基づいて検診結果画面を作成する（ステップＳ１２）。そして、検診サーバ５は、要求のあった検査課端末２６へ作成した検診結果画面を送信する（ステップＳ１３）。これにより、検診サーバ５は検診処理を完了する。一方、検診結果画面要求がない場合（ステップＳ１１；Ｎｏ）、検診サーバ５は、検診処理を終了する。
【００８３】
このように、本発明によれば、スタッフが電子ペン１０を利用して記入した情報を、受診票３の受診票ＩＤに基づいて管理することにより、リアルタイムで所定の受診者における検診の進捗状況を確認することができる。よって、受診者に未受診の項目をアナウンスする等、健康診断の巡回をスムーズにするような情報を提供することができる。また、スタッフが電子ペン１０を利用して受診票３に記入した情報と、当該受診票３を持ち歩く受診者の受診者情報とに基づいて、特定の受診者の検診結果を容易に電子データ化し、端末の画面に表示させることができる。さらに、スタッフは、画面上で容易に検診結果の誤差修正などを行うことができる。
【００８４】
また、電子ペン１０により記入された情報を直接情報管理ＤＢ７に記憶することができるため、受診票３を見ながら情報をパンチ入力する必要がなくなり、人件費を大幅に削減することができる。
【００８５】
なお、上述の実施形態では、受診票３を識別する受診票ＩＤに基づいて情報管理ＤＢ７を管理することとしているが、本発明はこれに限定されるものではなく、受診票を識別する情報により受診者を識別することも可能なため受診者ＩＤに基づいて情報管理ＤＢ７を管理することとしてもよい。この場合、受付端末２５は、受診者情報と、受診者ＩＤとを登録情報として検診サーバ５に送信することとなる。
【００８６】
また、上述の実施形態では、電子ペン１０は記入情報を、検査課端末２６を介して検診サーバ５へ送信することとしているが、本発明はこれに限定されるものではなく、ネットワーク２を介してデータを授受する機能を有する携帯電話やＰＤＡなどを介することとしてもよい。
【００８７】
また、上述の実施形態では、図１０に示すような検診結果画面に氏名、性別といった受診者情報６２を表示することとしているが、本発明はこれに限定されるものではなく受診者情報６２は表示せず検診結果６４のみを表示することとしても構わない。
【００８８】
また、上述の実施形態では、本発明を健康診断に適用しているが、本発明はこれに限定されるものではなく、検診する項目が予め決まっている種々の診断に適用することが可能である。
【００８９】
[第１変形例]
上述の実施形態では、図８に示すような、受診者毎に異なるドットパターンが全面に印刷された受診票３を使用する場合について説明したが、本発明はこれに限定されるものではなく、項目名部分のみ受診者毎に異なるドットパターンが印刷された項目名シールを添付した受診票３を使用する場合にも適用することができる。このような項目名シールが添付された受診票３を使用する場合について以下に説明する。
【００９０】
図１５（ａ）は受診票３の例であり、図１５（ｂ）は受診票３に添付する項目名シールの例である。図１５（ａ）に示すような受診票３の斜線部５０に、図１５（ｂ）に示すような項目名シールが添付される。なお、受診票３の記入欄部分にもドットパターンが印刷されているが、全ての受診票３に同一のドットパターンが印刷されている。よって、受診票３の記入欄部分に印刷されたドットパターンにより各項目に対応する検診結果を特定することはできるが、受診票を識別する情報である受診票ＩＤを特定することはできない。そのため、電子ペン１０を使用して受診票３への記入を行う検査課スタッフ等は、検診結果を記入する際に必ず対応する項目名部分にチェックマークを記入しなければならない。具体的に、受診者の内科検診の検診結果を記入欄に記入する場合、検査課スタッフ等は、受診票３に添付された図１５（ｂ）に示すような項目名シールの内科検診項目の部分にチェックマーク５２を記入してから、検診結果を記入する。このような項目名へのチェックマークには、受診確認の意味もあるため、受診票３を見ることにより進捗状況を容易に把握することができる。
【００９１】
なお、座標テーブル５０４は、各項目に対応する記入欄の受診票３に印刷されたドットパターン上の位置を示す座標データと、各項目名の項目名シールに印刷されたドットパターン上の位置を示す座標データとを含んでいるものとする。即ち、検診サーバ５は、記入情報及び座標テーブル５０４に基づいて、受診票３に添付された項目名シールのドットパターンから受診票ＩＤを特定すること、及び、受診票３のドットパターンから記入欄に記入された検診結果を特定することができるものとする。
【００９２】
次に、このような項目名シールを添付した受診票３を使用した検診システムにより実行される検診処理について説明する。
【００９３】
健康診断の受診者は、まず、受付で自身に関する受診者情報を提示する。受付スタッフは、受診者毎にユニークなドットパターンを印刷した項目名シールを添付した受診票３を受診者に渡す。なお、受診票３に添付された項目名シールによって特定可能な識別情報を、受診票３を識別する受診票ＩＤとする。そして、受付スタッフは、受付端末２５を使用して受診票３の受診票ＩＤ及び受診者情報を登録情報として検診サーバ５へ送信する。検診サーバ５は、ネットワーク２を介して受付端末２５から登録情報を取得する。そして、検診サーバ５は、登録情報に含まれる受診票ＩＤをキーとして、受診者情報を情報管理ＤＢ７に記憶する。
【００９４】
一方、受診者は、受付で渡された受診票３を持って複数の検査課を巡回することにより健康診断を行う。各検査課において受診者は所定の検診を行い、検査課スタッフは電子ペン１０を使用して、項目名部分にチェックマークを記入した後、検診結果を受診票３に記入する。検診結果の記入が終了すると、検査課スタッフは、受診票３の送信ボックスにチェックマークを記入することにより、検査課端末２６を介して記入情報を検診サーバ５へ送信する。
【００９５】
検診サーバ５は、ネットワーク２を介して検査課端末２６から記入情報を取得する。そして、検診サーバ５は、取得した記入情報及び座標テーブル５０４に基づいて、電子ペン１０により検診結果が記入された受診票３の識別情報である受診票ＩＤを特定する。また、検診サーバ５は、取得した記入情報及び座標テーブル５０４に基づいて、受診票３の各項目に対応する記入欄に記入された項目情報を抽出する。さらに、検診サーバ５は、抽出した項目情報に基づいて電子ペン１０により記入された検診結果を特定する。そして、検診サーバ５は、特定した受診票ＩＤに基づいて検診結果を情報管理ＤＢ７に記憶する。
【００９６】
情報管理ＤＢ７に記憶された情報に基づいて、状況確認画面及び検診結果画面を作成する方法は上述の実施形態と同様であるため、便宜上説明は省略する。
【００９７】
なお、上述の実施形態では、受診票３を識別する受診票ＩＤに基づいて情報管理ＤＢ７を管理することとしているが、本発明はこれに限定されるものではなく、項目名シールを識別する情報により受診者を識別することも可能なため受診者ＩＤに基づいて情報管理ＤＢ７を管理することとしてもよい。この場合、受付端末２５は、受診者情報と、受診者ＩＤとを登録情報として検診サーバ５に送信することとなる。
【００９８】
また、この他に同一のドットパターンが印刷された受診票３を特定する方法として、バーコードを付す方法、電子ペン１０により受診者ＩＤを記入する方法などが挙げられる。
【００９９】
このように、本発明によれば、項目名シールに印刷するドットパターンを全て異なるものにすることで受診票ＩＤを特定するため、受診票３に印刷するドットパターンは全て同一のものとすることができる。よって、ドットパターンを節約することができる。
【０１００】
[第２変形例]
上述の実施形態では、図８に示すような受診者毎に異なるドットパターンが全面に印刷された受診票３を使用する場合について説明したが、本発明はこれに限定されるものではなく、全て同一のドットパターンが全面に印刷された受診票３と、受診者又は受診票３を識別するための識別帳票とを使用する場合にも適用することができる。このような識別帳票を使用する場合について以下に説明する。
【０１０１】
なお、このとき使用される受診票３は、図８に示すようなレイアウトであり上述の実施形態と同様であるが、全ての受診票３において同一のドットパターンが印刷されている点で上述の実施形態と異なる。
【０１０２】
図１６は、識別帳票の例である。識別帳票は、図示のとおり、項目名５４と、受診者を識別する情報である受診者ＩＤに対応する複数のボックスから構成されるチェック欄５６とから構成される。また、識別帳票は、項目毎に所定の項目の検診を行う各検査課が保有しているものとする。なお、受診票３にもドットパターンが印刷されているが、全ての受診票３に同一のドットパターンが印刷されている。よって、受診票３に印刷されたドットパターンにより各項目に対応する検診結果を特定することはできるが、受診票を保有する受診者の識別情報を特定することはできない。そのため、電子ペン１０を使用して受診票３への記入を行う検査課スタッフ等は、検診結果を記入する際に必ず受診者の受診者ＩＤに対応するボックスにチェックマークを記入しなければならない。具体的に、受診者ＩＤ「００２」の受診者が身長を測定した場合、身長を測定する検査課スタッフは、図１６に示すような識別帳票の受診者ＩＤ「００２」に対応するボックスにチェックマーク５８を記入してから、受診者が保有する受診票３に身長の測定結果を記入する。このような識別帳票へのチェックマークには受診確認の意味もあるため、識別帳票を見ることにより健康診断の進捗状況を把握することができる。
【０１０３】
なお、座標テーブル５０４は、各項目に対応する受診票３に印刷されたドットパターン上の位置を示す座標データと、受診者ＩＤに対応する各ボックスの識別帳票に印刷されたドットパターン上の位置を示す座標データを含んでいるものとする。即ち、検診サーバ５は、記入情報及び座標テーブル５０４に基づいて、識別帳票のドットパターンから受診者ＩＤを特定すること、及び、受診票３のドットパターンから記入された検診結果を特定することができるものとする。
【０１０４】
次に、このような受診票３と識別帳票を使用した検診システムにより実行される検診処理について説明する。
【０１０５】
健康診断の受診者は、まず、受付で自身に関する受診者情報を提示する。受付スタッフは、受診者にドットパターンを印刷した受診票３を受診者に渡す。このとき、受付スタッフは、受診票３に受診者を識別する情報である受診者ＩＤをボールペンや鉛筆などで記入する。さらに、受付スタッフは、受付端末２５を使用して受診票３に記入した受診者ＩＤ及び受診者情報を登録情報として検診サーバ５へ送信する。検診サーバ５は、ネットワーク２を介して受付端末２５から登録情報を取得する。そして、検診サーバ５は、登録情報に含まれる受診者ＩＤをキーとして、受診者情報を情報管理ＤＢ７に記憶する。
【０１０６】
一方、受診者は、受付で渡された受診票３を持って複数の検査課を巡回することにより健康診断を行う。各検査課において受診者は所定の検診を行い、検査課スタッフは電子ペン１０を使用して、識別帳票において当該受診者を識別する受診者ＩＤに対応するボックスにチェックマークを記入した後、受診票３において検診結果を記入する。検診結果の記入が終了すると、検査課スタッフは、受診票３の送信ボックスにチェックマークを記入することにより、検査課端末２６を介して記入情報を検診サーバ５へ送信する。
【０１０７】
検診サーバ５は、ネットワーク２を介して検査課端末２６から記入情報を取得する。そして、検診サーバ５は、取得した記入情報及び座標テーブル５０４に基づいて、電子ペン１０により検診結果が記入された受診者の識別情報である受診者ＩＤを特定する。また、検診サーバ５は、取得した記入情報及び座標テーブル５０４に基づいて、受診票３の各項目に対応する記入欄に記入された項目情報を抽出する。さらに、検診サーバ５は、抽出した項目情報に基づいて電子ペン１０により記入された検診結果を特定する。そして、検診サーバ５は、特定した受診者ＩＤに基づいて検診結果を情報管理ＤＢ７に記憶する。
【０１０８】
なお、情報管理ＤＢ７に記憶された情報に基づいて、状況確認画面及び検診結果画面を作成する方法は上述の実施形態と同様であるため、便宜上説明は省略する。
【０１０９】
また、第２変形例では、チェック欄５６が受診者を識別する情報である受診者ＩＤに対応するボックスから構成されることとしているが、本発明はこれに限定されるものではなく、受診票を識別する情報に対応するボックスから構成されることとしてもよい。
【０１１０】
このように、本発明によれば、検査課スタッフ等が各項目毎に保有する識別帳票により受診者ＩＤ又は受診票ＩＤを特定するため、受診票３に印刷するドットパターンは全て同一のものとすることができる。よって、ドットパターンを節約することができる。また、検査課スタッフ等は、識別帳票においてチェックマークが記入されていない受診者ＩＤに対応する受診者は未受診であることが明白であるため、項目毎の検診の進捗状況を容易に把握することができる。
【産業上の利用可能性】
【０１１１】
この検診システムによって、電子ペンを利用して記入した情報を、受診票の識別情報に基づいて管理することにより、容易に所定の検診の進捗状況を確認することができる。
【図面の簡単な説明】
【０１１２】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】本発明における検診システムの概略構成を示す図である。
【図８】受診票の例を示す。
【図９】状況確認画面の例を示す。
【図１０】検診結果画面の例を示す。
【図１１】図７に示す検診システムに含まれる検診サーバの機能ブロック図である。
【図１２】座標テーブルのデータ構造を模式的に示す図である。
【図１３】情報管理ＤＢのデータ構造を模式的に示す図である。
【図１４】本実施形態における検診処理のフローチャートである。
【図１５】第１変形例における受診票及び項目名シールの例を示す。
【図１６】第２変形例における識別帳票の例を示す。
【符号の説明】
【０１１３】
２…ネットワーク
３…受診票
５…検診サーバ
７…情報管理ＤＢ
１０…電子ペン
１１…プロセッサ
１２…メモリ
１３…データ通信ユニット
１４…バッテリー
２５…端末装置
２６…問い合わせサーバ
２７…サービスサーバ
１００…検診システム
【図１】
2005301650.tif 000003
【図２】
2005301650.tif 000004
【図３】
2005301650.tif 000005
【図４】
2005301650.tif 000006
【図５】
2005301650.tif 000007
【図６】
2005301650.tif 000008
【図７】
2005301650.tif 000009
【図８】
2005301650.tif 000010
【図９】
2005301650.tif 000011
【図１０】
2005301650.tif 000012
【図１１】
2005301650.tif 000013
【図１２】
2005301650.tif 000014
【図１３】
2005301650.tif 000015
【図１４】
2005301650.tif 000016
【図１５】
2005301650.tif 000017
【図１６】
2005301650.tif 000018